(57)【要約】【課題】インターネット上に開設しているウェブサイトを通じて情報を提供する。ネットワークを介して前記情報を取得しようとする情報受信者が前記ウェブサイトにアクセスする機会を増加させる。【解決手段】ウェブサイトサーバが備えている画像情報作成手段により情報提供者がインターネットに開設しているウェブサイトを特定するＵＲＬ情報が変換されている情報コードが記録されている画像情報を作成し、情報提供者が使用する情報提供者端末へ送信する。情報提供者端末の画像情報取得手段を介してこの画像情報を取得した情報提供者は、当該画像情報希望する箇所に印刷、貼り付けする。情報受信者は、自己が使用する情報受信者端末の撮影手段、画像解析手段を介して、前記印刷されている画像を解析して画像に記録されたＵＲＬ情報を取得し、当該ＵＲＬ情報で特定されるウェブサイトにログインし、ウェブサイトから情報を受け取る。【選択図】図１
2008038399.tif 000002
【特許請求の範囲】
【請求項１】
ネットワーク上のウェブサイトにより情報を提供する情報提供システムであって、
前記ウェブサイトをネットワーク上に開設し、ネットワークを介して前記情報を提供する情報提供者が使用する情報提供者端末と、
ネットワークを介して前記情報を取得する情報受信者が使用する情報受信者端末と、
前記ウェブサイトの登録、管理を行ない、前記情報受信者端末に前記情報をネットワークを介して公開、送信するウェブサイトサーバとからなり、
前記ウェブサイトサーバは、
前記情報提供者端末の識別情報と、当該識別情報に係る前記情報提供者端末を使用する前記情報提供者が前記ネットワーク上に開設している前記ウェブサイトを特定するＵＲＬ情報とを関連付けて記録する情報提供者記録手段と、
前記ＵＲＬ情報が変換されている情報コードが記録されている画像情報を作成して前記情報提供者端末へ送信する画像情報作成手段と、
情報提供者端末から提供された、当該情報提供者端末を使用する前記情報提供者が前記ネットワーク上に開設している前記ウェブサイトにより提供する情報を、前記情報受信者端末のキャリア毎に対応する形式の情報ファイルに変換するファイル変換手段と、
当該ファイル変換手段によって生成された前記情報受信者端末のキャリア毎に対応する形式の情報ファイルを、当該情報ファイルの基になっている前記情報を提供してきた前記情報提供者端末の識別情報、又は、当該識別番号の前記情報提供者端末を使用する前記情報提供者が前記ネットワーク上に開設している前記ウェブサイトを特定するＵＲＬ情報に関連付けて記録するウェブサイト情報記録手段と、
前記情報受信者端末から前記ウェブサイトサーバにＵＲＬ情報を特定してアクセスがあった際に、当該アクセス要求に付帯されているキャリア識別情報に基づいて、当該情報受信者端末のキャリアを特定するキャリア判定手段と、
前記アクセス要求で特定されているＵＲＬ情報に係るウェブサイトにより提供される情報についての前記情報ファイルの中から、前記キャリア判定手段が判定した前記アクセス要求を送信してきた前記情報受信者端末のキャリアに対応する情報ファイル抽出し、当該抽出した情報ファイルの情報を、当該情報受信者端末に出力するファイル情報出力手段とを有し、
前記情報提供者端末は、
自己の情報提供者端末を識別する識別情報を含む各種情報を記録する情報記録手段と、
前記ウェブサイトサーバにログインする際に前記識別情報を送信する識別情報送信手段と、
前記ウェブサイトサーバから送信された、当該情報提供者端末を使用する前記情報提供者が前記ネットワーク上に開設している前記ウェブサイトを特定するＵＲＬ情報が変換されている情報コードが記録されている画像情報を取得する画像情報取得手段とを有し、
前記情報受信者端末は、
画像を撮像する撮影手段と、
該撮影手段により撮像した画像を解析して画像に記録されたＵＲＬ情報を取得する画像解析手段であって、前記撮影手段が撮像した画像を解析することにより、当該画像に記録されている情報コードから前記ＵＲＬ情報を取得する画像解析手段と、
前記ＵＲＬ情報で特定されるウェブサイトにログインするために前記ＵＲＬ情報を前記ＵＲＬ情報で特定されるウェブサイトに送信するＵＲＬ情報送信手段と、
前記ウェブサイトサーバにアクセスする際に、当該情報受信者端末のキャリアを特定するキャリア識別情報を送信するキャリア識別情報送信手段と
を有することを特徴とする情報提供システム。
【請求項２】
前記情報提供者端末から送信された前記識別情報を認証し、当該情報提供者端末を使用する前記情報提供者が前記ネットワーク上に開設している前記ウェブサイトにより提供する情報の入力を許可する情報提供者端末認証手段を、前記ウェブサイトサーバが、更に、備えていることを特徴とする請求項１記載の情報提供システム。
【請求項３】
前記情報提供者端末装置認証手段による認証の対象である識別情報が、ＭＡＣアドレスであることを特徴とする請求項1又は２記載の情報提供システム。
【請求項４】
前記情報コードがカラーコードであることを特徴とする請求項１乃至３のいずれか一項記載の情報提供システム。
【発明の詳細な説明】
【技術分野】
【０００１】
この発明は、インターネット等のネットワーク上に開設されているウェブサイトを通じて情報を提供するにあたり、ネットワークを介して前記情報を取得しようとする情報受信者が前記ウェブサイトにアクセスする機会を増やすことを可能ならしめる情報提供システムに関する。【０００２】
また、前記情報受信者が使用する情報受信者端末（例えば、携帯電話）のキャリア（通信事業者）の相違にかかわらず、前記情報受信者が前記情報を簡単に取得できる技術に関する。【０００３】
更に、前記のウェブサイトを開設して情報を提供する情報提供者が、ウェブサイトの情報の容易かつ迅速な更新、追加、変更、改訂、取消、等を行い、リアルタイムでの最新の情報提供を行なうことができる技術に関する。
【背景技術】
【０００４】
コンピュータを含む情報通信技術の発展に伴い、商品やサービス等に関する最新情報をインターネット上のウェブサイトから容易に取得することが可能となった。【０００５】
特に、インターネット利用可能な携帯端末（例えば、携帯電話、ＰＤＡ、など）の普及により、外出先や取引先においてもインターネットに接続可能であれば、時と場所に制限されることなく必要な情報にアクセスすることができる。【０００６】
ところで、パーソナルコンピュータの場合はウェブサイトにＨＴＭＬ形式で記述されたコンテンツファイルを要求して閲覧するが、携帯電話の場合は通信事業者（本明細書、特許請求の範囲、図面において「キャリア」という）ごとに互換性のない異なる閲覧方式が採用されている。【０００７】
各キャリア用のコンテンツファイルは、たとえば、ＣＨＴＭＬ（ＣｏｎｐａｃｔＨＴＭＬ）と呼ばれる言語や、ＨＤＭＬと呼ばれる言語や、前記ＣＨＴＭＬとほぼ同じ形式のＭＭＬ（Ｍｏｂｉｌｅ Ｍａｒｋｕｐ Ｌａｎｇｕａｇｅ）と呼ばれる言語で記述されている。このため、特定のキャリアの携帯端末（例えば、携帯電話）用に作成されたコンテンツファイルは、他のキャリアの携帯端末では閲覧できないか、あるいは表示に不具合が生じてしまう。【０００８】
そこで、何れのキャリアの携帯電話からでも閲覧できるコンテンツファイルを自動的に生成可能なウェブサイト作成支援システムが提案されている（特許文献１）。【０００９】
また、商品やサービスの情報供給源であるウェブサイトの情報の更新、変更、改訂、取消等がウェブサイト管理者によって容易かつ迅速に行えるように各種の技術が提案されている（例えば、特許文献２、３参照）。【００１０】
また、ウェブサイトからの情報取得を正確かつ容易にするために、ウェブサイトのＵＲＬ等を記録したカラーコードによる二次元コードの技術が提案されている（例えば、特許文献４参照）。
【特許文献１】特開２００４−３２６５１４号公報
【特許文献２】特開２００２−１５７３５０号公報
【特許文献３】特開２００４−１３７７９号公報
【特許文献４】特許第３３３６３１１号公報
【発明の開示】
【発明が解決しようとする課題】
【００１１】
上記特許文献１記載の発明は、携帯電話のキャリア毎に異なる閲覧方式に対応して複数のウェブサイト用コンテンツファイルを生成可能なコンテンツファイル生成手段により、各キャリア用のコンテンツファイルを自動的に生成し、アクセスしてきた携帯電話の機種からキャリアを判別して、最適なコンテンツファイルを配信するものである。【００１２】
上記特許文献２に記載の技術は、移動体通信パケット網をデータ収集に利用し、そのデータ処理（記録、加工、編集）をホストで行い、その処理結果をインターネットにより情報利用者に配信するものである。移動体通信装置によってデータ収集するので広範囲のデータを迅速に収集でき、また新たな回線工事を要しないことからコストダウンを図ることもできるとされている。【００１３】
上記特許文献３に記載の技術は、通信端末からの要求に応じた情報を送信後に情報提供サーバを待機状態に置き、各種情報源からの情報の更新が確認された場合に、情報送信の待機状態を解除し、通信端末に更新情報を送信するものである。これにより通信端末におけるリアルタイムな表示を可能にすると共に、通信端末と情報提供サーバとで送受信される通信量を必要最小限の通信量に抑制することができ、通信料金を節約できるとされている。【００１４】
上記特許文献４に記載の技術は、カラーコードによる二次元コードの利用において、出力装置によって異なる色相の問題点を、固定的な色調差を利用した参照領域とパリティ領域を設けることで解決し、カラーコードによる情報の正確な認識を可能にしたものである。ウェブサイトのＵＲＬを上記カラーコードで各種媒体に表示することでウェブサイト閲覧者の便宜を向上させることができる。【００１５】
しかし、前記いずれの技術においても、インターネット等のネットワーク上に開設されているウェブサイトを通じて情報を提供するにあたり、ネットワークを介して前記情報を取得しようとする情報受信者が前記ウェブサイトにアクセスする機会を増加させることを可能ならしめる提案は十分ではなかった。【００１６】
そこで、本発明は、インターネット等のネットワーク上に開設されているウェブサイトを通じて情報を提供するにあたり、ネットワークを介して前記情報を取得しようとする情報受信者が前記ウェブサイトにアクセスする機会を増やすことを可能ならしめる提案を行なうことを目的にしている。【００１７】
そして、情報受信者が前記ウェブサイトにアクセスする機会をより多くしつつ、前記情報受信者が使用する情報受信者端末（例えば、携帯電話）のキャリア（通信事業者）の相違にかかわらず、前記情報受信者が前記情報を簡単に取得できるようにすることを目的にしている。【００１８】
更に、その上で、前記のウェブサイトを開設して情報を提供する情報提供者が、ウェブサイトの情報の容易かつ迅速な更新、追加、変更、改訂、取消、等を行い、リアルタイムでの最新の情報提供を行なうことができることを目的にしている。
【課題を解決するための手段】
【００１９】
前記目的を達成するために本発明が提案する情報提供システムは、ネットワーク上のウェブサイトにより情報を提供する情報提供システムであって、前記ウェブサイトをネットワーク上に開設し、ネットワークを介して前記情報を提供する情報提供者が使用する情報提供者端末と、ネットワークを介して前記情報を取得する情報受信者が使用する情報受信者端末と、前記ウェブサイトの登録、管理を行ない、前記情報受信者端末に前記情報をネットワークを介して公開、送信するウェブサイトサーバとからなるものである。【００２０】
ここで、前記において、前記ウェブサイトサーバは、以下に説明する機能を有する情報提供者記録手段と、画像情報作成手段と、ファイル変換手段と、ウェブサイト情報記録手段と、キャリア判定手段と、ファイル情報出力手段とを備えている。【００２１】
情報提供者記録手段は、前記情報提供者端末の識別情報と、当該識別情報に係る前記情報提供者端末を使用する前記情報提供者が前記ネットワーク上に開設している前記ウェブサイトを特定するＵＲＬ情報とを関連付けて記録するものである。【００２２】
画像情報作成手段は、前記ＵＲＬ情報が変換されている情報コードが記録されている画像情報を作成して前記情報提供者端末へ送信するものである。【００２３】
ファイル変換手段は、情報提供者端末から提供された、当該情報提供者端末を使用する前記情報提供者が前記ネットワーク上に開設している前記ウェブサイトにより提供する情報を、前記情報受信者端末のキャリア毎に対応する形式の情報ファイルに変換するものである。【００２４】
ウェブサイト情報記録手段は、前記ファイル変換手段によって生成された前記情報受信者端末のキャリア毎に対応する形式の情報ファイルを、当該情報ファイルの基になっている前記情報を提供してきた前記情報提供者端末の識別情報、又は、当該識別番号の前記情報提供者端末を使用する前記情報提供者が前記ネットワーク上に開設している前記ウェブサイトを特定するＵＲＬ情報に関連付けて記録するものである。【００２５】
キャリア判定手段は、前記情報受信者端末から前記ウェブサイトサーバにＵＲＬ情報を特定してアクセスがあった際に、当該アクセス要求に付帯されているキャリア識別情報に基づいて、当該情報受信者端末のキャリアを特定するものである。【００２６】
ファイル情報出力手段は、前記アクセス要求で特定されているＵＲＬ情報に係るウェブサイトにより提供される情報についての前記情報ファイルの中から、前記キャリア判定手段が判定した前記アクセス要求を送信してきた前記情報受信者端末のキャリアに対応する情報ファイル抽出し、当該抽出した情報ファイルの情報を、当該情報受信者端末に出力するものである。【００２７】
また、前記の情報提供者端末は、以下に説明する機能を有する情報記録手段と、識別情報送信手段と、画像情報取得手段とを備えているものである。【００２８】
情報記録手段は、自己の情報提供者端末を識別する識別情報を含む各種情報を記録するものである。【００２９】
識別情報送信手段は、前記ウェブサイトサーバにログインする際に前記識別情報を送信するものである。【００３０】
画像情報取得手段は、前記ウェブサイトサーバから送信された、当該情報提供者端末を使用する前記情報提供者が前記ネットワーク上に開設している前記ウェブサイトを特定するＵＲＬ情報が変換されている情報コードが記録されている画像情報を取得するものである。【００３１】
更に、前記の情報受信者端末は、画像を撮像する撮影手段と、以下に説明する機能を有する画像解析手段と、ＵＲＬ情報送信手段と、キャリア識別情報送信手段とを備えているものである。【００３２】
画像解析手段は、前記の撮影手段により撮像した画像を解析して画像に記録されたＵＲＬ情報を取得するものであって、前記撮影手段が撮像した画像を解析することにより、当該画像に記録されている情報コードから前記ＵＲＬ情報を取得するものである。【００３３】
ＵＲＬ情報送信手段は、前記ＵＲＬ情報で特定されるウェブサイトにログインするために前記ＵＲＬ情報を前記ＵＲＬ情報で特定されるウェブサイトに送信するものである。【００３４】
また、キャリア識別情報送信手段は、前記ウェブサイトサーバにアクセスする際に、当該情報受信者端末のキャリアを特定するキャリア識別情報を送信するものである。【００３５】
以上に説明した構成からなる本発明の情報提供システムによれば、ウェブサイトサーバが備えている画像情報作成手段により、前記情報提供者が前記ネットワーク上に開設している前記ウェブサイトを特定するＵＲＬ情報が変換されている情報コードが記録されている画像情報が作成されて、前記情報提供者が使用する情報提供者端末へ送信される。【００３６】
情報提供者端末の画像情報取得手段を介してこの画像情報を取得した情報提供者は、当該画像情報を、名刺や、広告、看板など、希望する箇所に印刷したり、貼り付けたりすることができる。【００３７】
情報受信者は、自己が使用する情報受信者端末の撮影手段、画像解析手段を介して、前記の名刺や、広告、看板などに印刷されたり、貼り付けられたりしている画像を解析して画像に記録されたＵＲＬ情報を取得する。そして、ＵＲＬ情報送信手段を介して、前記ＵＲＬ情報で特定されるウェブサイトにログインし、当該ウェブサイトから情報を受け取ることができる。【００３８】
そこで、インターネット等のネットワーク上に開設されているウェブサイトを通じて情報を提供するにあたり、ネットワークを介して前記情報を取得しようとする情報受信者が前記ウェブサイトにアクセスする機会を増加させることが可能になる。【００３９】
更に、情報受信者端末はそのキャリア識別情報送信手段を介して、前記ウェブサイトサーバにアクセスする際に、当該情報受信者端末のキャリアを特定するキャリア識別情報送信する。【００４０】
そして、ウェブサイトサーバのファイル情報出力手段は、当該アクセス要求で特定されているＵＲＬ情報に係るウェブサイトにより提供される情報についての情報ファイルの中から、ウェブサイトサーバのキャリア判定手段が判定した前記アクセス要求を送信してきた前記情報受信者端末のキャリアに対応する情報ファイル抽出し、当該抽出した情報ファイルの情報を、当該情報受信者端末に出力する。【００４１】
そこで、前記のように、情報受信者が前記ウェブサイトにアクセスする機会をより多くしつつ、前記情報受信者が使用する情報受信者端末（例えば、携帯電話）のキャリア（通信事業者）の相違にかかわらず、前記情報受信者が前記情報を簡単に取得できる。【００４２】
なお、前記において、ウェブサイトサーバは、本発明に係る情報提供システムの提供者が独自に設けたサーバでもよく、またはＩＳＰのＷＷＷ（Ｗｏｒｌｄ  Ｗｉｄｅ  Ｗｅｂ）サーバであってもよい。【００４３】
また、前述した情報提供者端末及び情報受信者端末としては、ネットワーク上、例えば、インターネット上に開設されているウェブサイトサーバにアクセスし、情報の送受信を行なうことのできる装置、器機、端末などを採用することができる。例えば、これらの機能を有するパーソナルコンピュータ、携帯端末（例えば、携帯電話、ＰＤＡ、など）を採用することができる。【００４４】
前記の本発明の情報提供システムにおいて、前記ウェブサイトサーバが、前記情報提供者端末から送信された前記識別情報を認証し、当該情報提供者端末を使用する前記情報提供者が前記ネットワーク上に開設している前記ウェブサイトにより提供する情報の入力を許可する情報提供者端末認証手段を、更に、備えている形態にすることができる。【００４５】
認証を受けた情報提供者にのみ、ウェブサイトの情報の更新、追加、変更、改訂、取消、等を認めるものである。【００４６】
本発明の情報提供システムにおいては、本発明の情報提供システムを提供する者が前述したウェブサイトサーバをインターネット等のネットワークに接続可能に設置している。【００４７】
本発明の情報提供システムの利用を望む情報提供者は、自らが使用する情報提供者端末を介してウェブサイトサーバにアクセスし、利用を申し込むことにより、当該情報提供者端末を特定する識別情報（ＩＤやパスワード）の付与を受ける。【００４８】
情報提供者端末では、この付与された識別情報を、情報提供者端末の情報記録手段に記録しておく。そして、情報提供者端末から前記ウェブサイトサーバにログインする際に、情報提供者端末の識別情報送信手段を介して、前記識別情報（ＩＤやパスワード）を送信する。【００４９】
そして、ウェブサイトサーバの前記情報提供者端末認証手段は、情報提供者記録手段に格納されている情報を参照し、情報提供者端末から送信された前記識別情報（ＩＤやパスワード）を認証する。そして、当該情報提供者端末を使用する前記情報提供者に、当該情報提供者端末を使用する前記情報提供者が前記ネットワーク上に開設している前記ウェブサイトにより提供する情報の入力を許可するものである。【００５０】
なお、この場合、前述した識別情報としては、通信プロトコルに規定された情報提供者端末固有の情報を利用することができる。例えば、ＭＡＣアドレスを前述した識別情報として利用することができる。【００５１】
パーソナルコンピュータ、携帯端末（例えば、携帯電話、ＰＤＡ、など）のそれぞれでＭＡＣアドレスはすべて異なるので、これを識別情報とするものである。【００５２】
ＭＡＣアドレス（または物理アドレスともいう）は、パソコン等の機器がＬＡＮに接続するときの識別子である。例えば、機器に内蔵されるインターフェースカード、ＬＡＮカード、ＬＡＮボードに付与されるもので、それぞれ異なる識別子を有する。そこで、これを前記の識別情報に用いるものである。【００５３】
したがって、識別情報としてＭＡＣアドレスを使用する場合は、情報提供者端末の装置にＭＡＣアドレスを有するインターフェースカード等が備えてあることが必要となる。【００５４】
この場合、本発明の情報提供システムの利用を望む情報提供者は、自らが使用する情報提供者端末を介してウェブサイトサーバにアクセスし、利用を申し込むことにより、当該情報提供者端末を特定する識別情報を当該情報提供者端のＭＡＣアドレスとする選択を行なう。【００５５】
これにより、当該情報提供者端末の情報記録手段及び、ウェブサイトサーバの情報提供者記録手段には、当該情報提供者端末を特定する識別情報として、当該情報提供者端のＭＡＣアドレスが記録される。【００５６】
そして、情報提供者端末から前記ウェブサイトサーバにログインする際に、情報提供者端末の識別情報送信手段を介して、識別情報たるＭＡＣアドレスが送信される。【００５７】
ウェブサイトサーバの前記情報提供者端末認証手段は、情報提供者記録手段に格納されている情報を参照し、情報提供者端末から送信された前記識別情報（ＭＡＣアドレス）を認証する。そして、当該情報提供者端末を使用する前記情報提供者に、当該情報提供者端末を使用する前記情報提供者が前記ネットワーク上に開設している前記ウェブサイトにより提供する情報の入力を許可する。【００５８】
また、予め、情報提供者端末ごとに識別情報を決め、これを暗号化して情報提供者端末の情報記録手段にレジストリファイルとして格納すると共に、ウェブサイトサーバのウェブサイト情報記録手段にもこれを識別情報を記録して、ログインの際に照合して認証することもできる。【００５９】
前記のように、識別情報としてＭＡＣアドレスを用いたり、情報提供者端末ごとに識別情報を決めこれを暗号化して情報提供者端末の情報記録手段にレジストリファイルとして格納する形態にしておけば、パスワード等を入力して認証を行うことを不要にできる。【００６０】
これにより、ネットワーク上、例えば、インターネット上にウェブサイトを開設している情報提供者は、自己の開設しているウェブサイトの情報の更新、追加、変更、改訂、取消、等の操作を、容易かつ迅速に行い、最新の情報をリアルタイムで提供することが可能になる。【００６１】
すなわち、最新情報の迅速な更新を繰返し要求される場合には、ＩＤ、パスワードの入力や認証が、特に、煩雑となるが、本発明によればウェブサイトサーバへのログイン時に識別情報を併せて送信することで情報提供者端末の認証ができるので、パスワード入力等の手続きを省略できる。【００６２】
例えば、生鮮物市場における入荷物に関する情報のウェブサイトによる紹介等では、現地市場での情報提供者端末による迅速なウェブサイトへの文字、画像、等の情報入力が要求される。本発明のシステムにおいては、上記したように認証手続を簡便にすることで、煩雑なパスワード等の入力や送信手続きを不要とした。【００６３】
ここで、前記情報コードは、カラーコードであることが好ましい。ＵＲＬ情報を記録する情報コードがカラーコードであれば、このカラーコードを例えば二次元バーコードとして種々の商品、商品の容器、商品の包装、等の色彩に合わせて印刷、あるいは貼着することができるので、適用用途の幅が広くなる。【００６４】
すなわち、カラーコードによる情報コードを、例えば、名刺や新聞、書籍、広告、Ｔシャツ、看板、等に違和感なく印刷することができ、色彩によって情報コードの存在を誇張することもできる。【００６５】
また、カラーコードによる情報コードを付したものを、商品や建造物等の不動産に印刷したり、貼着することもできる。【００６６】
本発明の情報提供システムの利用を望む情報提供者は、自らが使用する情報提供者端末を介してウェブサイトサーバにアクセスし、利用を申し込み、当該情報提供者端末を特定する識別情報（ＩＤやパスワード）の付与を受けたり、当該情報提供者端末を特定する識別情報を当該情報提供者端のＭＡＣアドレスとする選択を行なう。これにより、ウェブサイトサーバは、当該利用を申し込んできた情報提供者が前記ネットワーク上に開設するウェブサイトを特定するＵＲＬ情報を付与する。そして、ウェブサイトサーバの情報提供者記録手段が、当該利用を申し込んできた情報提供者が使用する情報提供者端末を特定する識別情報（ＩＤやパスワード、ＭＡＣアドレス）と、当該識別情報に係る前記情報提供者端末を使用する情報提供者が前記ネットワーク上に開設するウェブサイトを特定するＵＲＬ情報とを関連付けて記録する。【００６７】
そして、ウェブサイトサーバの画像情報作成手段が、前記ＵＲＬ情報が変換されている情報コードが記録されている画像情報を作成して前記情報提供者端末へ送信する。【００６８】
情報提供者端末では、この送信されてきた画像情報を画像情報取得手段を介して取得する。そして、この画像情報を、プリンターによって、名刺や新聞、書籍、広告、Ｔシャツ、看板、等に印刷する。あるいは、印刷したものを、商品や建造物等の不動産に貼着する。【００６９】
情報受信者端末は、画像を撮像する撮影手段と、撮影手段により撮像した画像を解析して当該画像に記録されている情報コードから前記ＵＲＬ情報を取得する画像解析手段を備えている。【００７０】
そこで、情報受信者端末を使用している情報受信者は、名刺や新聞、書籍、広告、Ｔシャツ、看板、等に印刷されたり、商品や建造物等の不動産に貼着されている画像情報から前記のＵＲＬ情報を取得することができる。【００７１】
そして、情報受信者端末のＵＲＬ情報送信手段を介して、前記ＵＲＬ情報で特定されるウェブサイトにログインするために前記ＵＲＬ情報を前記ＵＲＬ情報で特定されるウェブサイトに送信する。【００７２】
これによって、手動操作によるＵＲＬ情報の入力をしなくても、ウェブサイトにログインして必要な情報を迅速に受信することができる。【００７３】
この場合、前記のように、情報コードがカラーコードであることにより、このカラーコードを、例えば、二次元バーコードとして種々の商品、商品の容器、商品の包装、等の色彩に合わせて印刷、あるいは貼着することができる。【００７４】
そこで、情報受信者は、自己が使用する情報受信者端末の撮影手段、画像解析手段を介して、前記の名刺や、広告、看板などに印刷されたり、貼り付けられたりしている画像を解析して画像に記録されたＵＲＬ情報を取得する。そして、ＵＲＬ情報送信手段を介して、前記ＵＲＬ情報で特定されるウェブサイトにログインし、当該ウェブサイトから情報を受け取ることができる。【００７５】
これにより、インターネット等のネットワーク上に開設されているウェブサイトを通じて情報を提供するにあたり、ネットワークを介して前記情報を取得しようとする情報受信者が前記ウェブサイトにアクセスする機会を増加させることが可能になる。
【発明の効果】
【００７６】
本発明によれば、インターネット等のネットワーク上に開設されているウェブサイトを通じて情報を提供するにあたり、ネットワークを介して前記情報を取得しようとする情報受信者が、より多くの機会に前記ウェブサイトにアクセスすることを実現できる。【００７７】
そして、情報受信者が前記ウェブサイトにアクセスする機会をより多くしつつ、前記情報受信者が使用する情報受信者端末（例えば、携帯電話）のキャリア（通信事業者）の相違にかかわらず、前記情報受信者が前記情報を簡単に取得することができる。【００７８】
更に、これらの上で、前記のウェブサイトを開設して情報を提供する情報提供者が、ウェブサイトの情報の容易かつ迅速な更新、追加、変更、改訂、取消、等を行い、リアルタイムでの最新の情報提供を行なうことができる。
【発明を実施するための最良の形態】
【００７９】
以下、添付図面を参照して本発明の好ましい実施形態を説明する。【００８０】
本発明の情報提供システムは、インターネット５のようなネットワーク上のウェブサイトにより情報を提供する情報提供システムである。【００８１】
この情報提供システムは、前記ウェブサイトをインターネット５上に開設し、ネットワークを介して情報を提供する情報提供者が使用する情報提供者端末２ａ、２ｂを備えている。【００８２】
また、この情報提供システムは、インターネット５等のネットワークを介して前記情報を取得する情報受信者が使用する情報受信者端末３ａ〜３ｎを備えている。【００８３】
そして、この情報提供システムは、前記ウェブサイトの登録、管理を行ない、情報受信者端末３ａ〜３ｎに前記情報をインターネット５等のネットワークを介して公開、送信するウェブサイトサーバ１を備えている。【００８４】
なお、情報提供者端末２ａ、２ｂを総称して情報提供者端末２ということがある。また、情報受信者端末３ａ〜３ｎを総称して情報受信者端末３ということがある。【００８５】
ウェブサイトサーバ１は、インターネット等のネットワーク上に開設され、商品やサービス等に関する情報を提供する少なくとも１以上のウェブサイトを登録、管理するものである。【００８６】
図示の実施形態では、ウェブサイトサーバ１は、インターネット５に接続し、さらにゲートウェイ６を介して携帯電話網７にも接続している。これにより、インターネット接続可能な携帯端末（例えば、パーソナルコンピュータ、携帯電話、ＰＤＡ、など）に対してウェブサイトからの情報を提供することができる。【００８７】
情報提供者端末２は、図示の実施形態では、パーソナルコンピュータ２ａと、携帯端末であるインターネット接続可能な携帯電話２ｂとの２種類にしている。【００８８】
パーソナルコンピュータ２ａは、図示しないＩＳＰを介してインターネット５に接続される。携帯電話２ｂは、最寄の基地局８を通じて携帯電話網７に接続され、ゲートウェイ６を介して同じくインターネット５に接続している。【００８９】
こうして、情報提供者端末２は、ウェブサイトサーバ１にログイン、アクセスすることで、ウェブサイトサーバ１を介して自己が開設しているウェブサイトの情報の更新、追加、変更、改訂、取消、等を行うことができる。【００９０】
情報受信者の情報受信者端末３は、図示の実施形態では、インターネット接続可能な携帯電話としている。【００９１】
携帯電話からなる情報受信者端末３は、最寄の基地局８を通じて携帯電話網７に接続され、ゲートウェイ６を介してインターネット５に接続される。そして、ウェブサイトサーバ１からの情報を受信できるようになっている。【００９２】
ゲートウェイ６は、インターネット用通信プロトコルであるＴＣＰ／ＩＰとの変換を行うサーバであり、これにより携帯電話がインターネットを介してウェブサイトサーバ１に接続できるようになっている。【００９３】
次に、図２のブロック構成図を参照して、ウェブサイトサーバ１、情報提供者端末２及び情報受信者端末３の概略構成を説明する。【００９４】
ウェブサイトサーバ１は、図示の実施形態では、通信手段１０と、制御手段１１と、情報提供者記録手段１２と、情報提供者端末認証手段１３と、画像情報作成手段１４と、ファイル変換手段１５と、ウェブサイト情報記録手段１６と、キャリア判定手段１７と、ファイル情報出力手段１８とを有している。【００９５】
通信手段１１は、インターネット５を介して情報提供者端末２、情報受信者端末３と情報を送受信する装置である。例えば、ウェブサイトサーバ１が有する入出力処理（制御）装置によって実現することができる。【００９６】
情報提供者記録手段１２は、情報提供者端末２の識別情報と、当該識別情報に係る情報提供者端末２を使用する情報提供者がインターネット５上に開設しているウェブサイトを特定するＵＲＬ情報とを関連付けて記録するものである。ウェブサイトサーバ１のハードディスク等の記憶装置などが相当する。【００９７】
情報提供者端末認証手段１３は、情報提供者記録手段１２に格納されている情報を参照し、情報提供者端末２から送信された識別情報を認証する。そして、当該情報提供者端末２を使用する前記情報提供者に、当該情報提供者端末２を使用する前記情報提供者がインターネット５上に開設している前記ウェブサイトにより提供する情報の入力を許可するものである。すなわち、情報提供者端末２から送信された識別情報と、情報提供者記録手段１２に格納されている識別情報とが一致したときに、当該情報提供者端末２を使用する前記情報提供者が開設しているウェブサイトの情報の更新、追加、変更、改訂、取消、等を認める認証を行うものである。【００９８】
画像情報作成手段１４は、前記ＵＲＬ情報が変換されている情報コードが記録されている画像情報を作成して情報提供者端末２へ送信するものである。【００９９】
ファイル変換手段１５は、ウェブサイトの情報の更新、追加、変更、改訂、取消、等を目的として情報提供者端末２から提供された、当該情報提供者端末２を使用する前記情報提供者がインターネット５に開設している前記ウェブサイトにより提供する情報を、情報受信者端末３のキャリア毎に対応する形式の情報ファイルに変換するものである。【０１００】
ウェブサイト情報記録手段１６は、ファイル変換手段１５によって生成された前記情報受信者端末３のキャリア毎に対応する形式の情報ファイルを、当該情報ファイルの基になっている前記情報を提供してきた前記情報提供者端末２の識別情報、又は、当該識別番号の前記情報提供者端末２を使用する前記情報提供者がインターネット５上に開設している前記ウェブサイトを特定するＵＲＬ情報に関連付けて記録するものである。ウェブサイトサーバ１のハードディスク等の記憶装置などが相当する。【０１０１】
キャリア判定手段１７は、情報受信者端末３からウェブサイトサーバ１にＵＲＬ情報を特定してアクセスがあった際に、当該アクセス要求に付帯されているキャリア識別情報に基づいて、当該情報受信者端末３のキャリアを特定するものである。【０１０２】
ファイル情報出力手段１８は、前記アクセス要求で特定されているＵＲＬ情報に係るウェブサイトにより提供される情報についての前記ウェブサイト情報記録手段１６の情報ファイルの中から、キャリア判定手段１７が判定した前記アクセス要求を送信してきた情報受信者端末３のキャリアに対応する情報ファイル抽出し、当該抽出した情報ファイルの情報を、当該情報受信者端末３に出力するものである。【０１０３】
制御手段１２は、上記各手段を制御する機能を有するものである。各手段相互の情報の送受信を仲介等する機能も有する。【０１０４】
制御手段１２を含むこれら各手段は、ＲＯＭ等の記憶手段に記録された所定のコンピュータプログラムをＣＰＵ、ＲＡＭ等で実行することによりその機能が発揮されるものである。【０１０５】
前述したファイル変換手段１５は、情報受信者端末３のキャリア毎に異なる閲覧方式に対応して、ウェブサイト用のファイルを生成するものである。【０１０６】
このファイル変換手段１５の機能は、例えば、ブラウザで閲覧可能な記述言語に変換してファイルを生成する変換ソフトをウェブサイトサーバのＲＯＭ等の記憶手段にインストールしておき、このコンピュータプログラムをＣＰＵ、ＲＡＭ等で実行することにより発揮される。【０１０７】
これにより、各キャリアの情報受信者端末３に対応するために情報受信者端末３のキャリア毎に対応する言語（例えば、ＣＨＴＭＬ、ＨＤＭＬ、ＭＭＬ）で記述したコンテンツファイルをそれぞれ生成する。【０１０８】
また、ウェブサイトの情報の更新、追加、変更、改訂、取消、等を目的として情報提供者端末２から提供された情報に画像データが含まれる場合は、キャリア毎に表示可能な画像ファイルの種類が異なる（例えばＧＩＦやＰＮＧ等）ので、ファイル変換手段１５によって、キャリア毎に表示可能な画像ファイル（例えばＧＩＦやＰＮＧ等）への変換が行なわれる。【０１０９】
このようにして、ファイル変換手段１５により、各キャリア用のファイルを自動的に生成する。キャリア判定手段１７が、アクセスしてきた情報受信者端末３のキャリアを判別する。そして、ファイル情報出力手段１８が、最適なファイルを配信する。これによって、情報受信者端末３の表示画面において表示の不具合が発生するのを防止できる。【０１１０】
次に、情報提供者端末２（２ａ、２ｂ）の一例を説明する。【０１１１】
情報提供者端末２の一つであるパーソナルコンピュータ２ａは、通信手段２１と、制御手段２２と、入力手段２３と、出力手段２４と、画像情報取得手段２５と、情報記録手段２６と、識別情報送信手段２７とを有するものである。【０１１２】
通信手段２６及び制御手段２２は、ウェブサイトサーバ１で説明した同一名称のものと同一機能を有するので、これらの説明を省略する。【０１１３】
入力手段２３は、パーソナルコンピュータ２ａにデータ入力を行うもので、例えばキーボード、マウス等の装置が相当する。【０１１４】
出力手段２４は、画像として出力する液晶ディスプレイ装置や、音声出力するスピーカや、印刷出力するプリンター等の装置が相当する。【０１１５】
画像情報取得手段２５は、ウェブサイトサーバ１から送信された、当該情報提供者端末２ａを使用する情報提供者がインターネット５上に開設している前記ウェブサイトを特定するＵＲＬ情報が変換されている情報コードが記録されている画像情報を取得するものである。【０１１６】
この画像情報取得手段２５で取得した画像情報をプリンター等の出力手段２４を介して印刷することになる。【０１１７】
情報記録手段２６は、自己の情報提供者端末２ａを識別する識別情報を含む各種情報を記録するものである。ハードディスク等の記憶装置が相当する。【０１１８】
この識別情報は、本発明の情報提供システムの利用を望む情報提供者が情報提供者端末２ａを介してウェブサイトサーバ１にアクセスし、利用を申し込む際に、当該情報提供者端末２ａを特定する識別情報として付与されたＩＤやパスワードである。【０１１９】
また、本発明の情報提供システムの利用を望む情報提供者が、自らが使用する情報提供者端末２ａを介してウェブサイトサーバにアクセスし、利用を申し込む際に、当該情報提供者端末２ａを特定する識別情報を当該情報提供者端２ａのＭＡＣアドレスとした場合には、ＭＡＣアドレスが識別情報となる。この場合、携帯電話などからなる情報提供者端末２ｂを介して情報の入力、更新、等を行なう場合を考慮して、情報提供者端末２ｂのＭＡＣアドレスも識別情報として情報記録手段２６に記録できる。ＭＡＣアドレスは、パーソナルコンピュータに内蔵されているインターフェースカード、ＬＡＮカード、またはＬＡＮボードに付与される識別子である。【０１２０】
また、本発明の情報提供システムの利用を望む情報提供者が、自らが使用する情報提供者端末２ａを介してウェブサイトサーバにアクセスし、利用を申し込む際に、ウェブサイトサーバ１から情報提供者端末２ごとに識別情報を決め、これを暗号化したものが付与された場合には、これを、情報記録手段２６にレジストリファイルとして記録する。【０１２１】
識別情報送信手段２７は、ウェブサイトサーバ１にログインする際に前記識別情報を送信するものである。【０１２２】
画像情報取得手段２５、識別情報送信手段２６、等は、ＲＯＭ等の記録手段に記録された所定のプログラムをＣＰＵ、ＲＡＭ等で実行することで上記機能が発揮される。【０１２３】
情報提供者端末の一つであるインターネット接続可能である携帯電話２ｂは、通話送受信手段３１と、データ送受信手段３２と、制御手段３３と、識別情報送信手段３５と、入力手段３６と、出力手段３７と、情報記録手段３８とを有している。【０１２４】
このうち制御手段３３、識別情報送信手段３５、入力手段３６、出力手段３７、及び情報記録手段３８は、上記した情報提供者端末であるパーソナルコンピュータ２ａの同一名称のものと同じ機能であるため説明を省略する。【０１２５】
通話送受信手段３１は、携帯電話の通話機能であり携帯電話網７を介して他の携帯電話や、さらに関門交換機（図示せず）を介して固定電話と通話することができるものである。【０１２６】
データ送受信手段３２は、携帯電話の通信機能であり、これによりメール送受信やインターネットのデータ送受信が可能となるものである。【０１２７】
上記した通話送受信手段３１及びデータ送受信手段３２は、携帯電話装置が有する入出力処理（制御）装置によって実現することができる。【０１２８】
次に、情報受信者端末３（３ａ〜３ｎ）について説明する。【０１２９】
情報受信者端末３は、図示の実施形態では、インターネット接続可能な携帯電話としている。【０１３０】
情報受信者端末３は、通話送受信手段５０と、データ送受信手段５１と、制御手段５２と、ＵＲＬ情報送信手段５３と、キャリア識別情報送信手段５４と、入力手段５５と、出力手段５６と、撮影手段５７と、画像解析手段５８と、情報記録手段５９とを有する。【０１３１】
このうち通話送受信手段５０、データ送受信手段５１、制御手段５２、入力手段５５、出力手段５６及び情報記録手段５９は、上記した同一名称のものと機能上の差違がないことから説明を省略する。【０１３２】
撮影手段５７は、携帯電話に備えられた撮影用のカメラであり、周囲の景色や画像を撮像するものである。即ち、情報提供者端末２が画像情報取得手段２５で取得し、プリンター等の出力手段２４を介して印刷した画像情報を撮像するものである。【０１３３】
画像解析手段５８は、撮影手段５７により撮像した画像を解析して画像に記録されたＵＲＬ情報を取得するものであって、撮影手段５７が撮像した画像を解析することにより、当該画像に記録されている情報コードから前記ＵＲＬ情報を取得するものである。【０１３４】
ＵＲＬ情報送信手段５３は、前記ＵＲＬ情報で特定されるウェブサイトにログインするために前記ＵＲＬ情報を前記ＵＲＬ情報で特定されるウェブサイトに送信するものである。【０１３５】
キャリア識別情報送信手段５４は、前記ウェブサイトサーバにアクセスする際に、当該情報受信者端末３のキャリアを特定するキャリア識別情報を送信するものである。【０１３６】
画像解析手段５８、ＵＲＬ情報送信手段５３、キャリア識別情報送信手段５４は、ＲＯＭ等の記録手段に記録された所定のプログラムをＣＰＵ、ＲＡＭ等で実行することで上記機能が発揮される。【０１３７】
次に、図３（ａ）、（ｂ）、図４、図７のフローチャートを参照して、本発明の情報提供システムによって行われる処理動作の概略を説明する。【０１３８】
本発明の情報提供システムにおいては、本発明の情報提供システムを提供する者が前述したウェブサイトサーバ１をインターネット５に接続可能に設置している。【０１３９】
本発明の情報提供システムの利用を望む情報提供者は、自らが使用する情報提供者端末２ａを介してウェブサイトサーバ１にアクセスし、利用を申し込む（Ｓ３１）。【０１４０】
ウェブサイトサーバ１は、情報提供者がＩＤやパスワードの付与を受けて本発明の情報提供システムを利用することを希望する場合には、ＩＤやパスワードを付与する（Ｓ３２）。【０１４１】
情報提供者端末２ａの情報記録手段２６、情報提供者端末２ｂの情報記録手段３８には、この付与された識別情報が記録される（Ｓ３３）。【０１４２】
また、ウェブサイトサーバ１は、当該利用を申し込んできた情報提供者がインターネット５に開設するウェブサイトを特定するＵＲＬ情報を付与する（Ｓ３４）。【０１４３】
ウェブサイトサーバ１の情報提供者記録手段１２が、当該利用を申し込んできた情報提供者が使用する情報提供者端末２ａを特定する識別情報（ＩＤやパスワード）と、当該識別情報に係る前記情報提供者端末２ａを使用する情報提供者がインターネット５上に開設するウェブサイトを特定するＵＲＬ情報とを関連付けて記録する（Ｓ３５）。【０１４４】
ウェブサイトサーバ１の画像情報作成手段１３が、前記ＵＲＬ情報が変換されている情報コードが記録されている画像情報を作成して情報提供者端末２ａへ送信する（Ｓ３６）。【０１４５】
情報提供者端末２ａでは、この送信されてきた画像情報を画像情報取得手段２５を介して取得する（Ｓ３７）。【０１４６】
一方、識別情報としてＭＡＣアドレスを用いる形態の場合には、次のようになる。【０１４７】
本発明の情報提供システムの利用を望む情報提供者が、自らが使用する情報提供者端末２ａを介してウェブサイトサーバ１にアクセスし、利用を申し込む（Ｓ４１）。【０１４８】
次に、当該情報提供者端末２ａを特定する識別情報を当該情報提供者端２ａのＭＡＣアドレスとする選択を行ない、当該情報提供者端２ａ及び、ウェブサイトサーバの情報更新に利用する可能性がある自己が使用する情報提供者端２ｂのＭＡＣアドレスを識別情報として入力する（Ｓ４２）。【０１４９】
情報提供者端末２ａの情報記録手段２６、情報提供者端末２ｂの情報記録手段３８には、この付与された識別情報が記録される（Ｓ４３）。【０１５０】
また、ウェブサイトサーバ１は、当該利用を申し込んできた情報提供者がインターネット５に開設するウェブサイトを特定するＵＲＬ情報を付与する（Ｓ４４）。【０１５１】
ウェブサイトサーバ１の情報提供者記録手段１２が、当該利用を申し込んできた情報提供者が使用する情報提供者端末２ａ、２ｂを特定する識別情報（情報提供者端２ａ、２ｂのＭＡＣアドレス）と、当該識別情報に係る前記情報提供者端末２ａ、２ｂを使用する情報提供者がインターネット５上に開設するウェブサイトを特定するＵＲＬ情報とを関連付けて記録する（Ｓ４５）。【０１５２】
ウェブサイトサーバ１の画像情報作成手段１３が、前記ＵＲＬ情報が変換されている情報コードが記録されている画像情報を作成して情報提供者端末２ａへ送信する（Ｓ４６）。【０１５３】
情報提供者端末２ａでは、この送信されてきた画像情報を画像情報取得手段２５を介して取得する（Ｓ４７）。【０１５４】
情報提供者端末２ａを使用している情報提供者は、この画像情報を、プリンターによって、名刺や新聞、書籍、広告、さらにはＴシャツ、看板、等に印刷する。あるいは、印刷したものを、商品や建造物等の不動産に貼着する。【０１５５】
自己がインターネット５上に開設するウェブサイトに対して情報受信者がアクセスする機会を増加させることを目的として、名刺や新聞、書籍、広告、Ｔシャツ、看板、等に印刷したり、印刷したものを、商品や建造物等の不動産に貼着するのである。【０１５６】
次に、図４のフローチャートを参照して、ウェブサイト開設者である情報提供者によるウェブサイトの情報の更新、変更等の操作手順を説明する。【０１５７】
図４に示すように、情報提供者端末２から、ウェブサイトサーバ１に登録された自己のウェブサイトにログインする（Ｓ１１）。このとき所定のＵＲＬ情報に加えて、識別情報を併せて送信する。【０１５８】
識別情報には、情報提供者端末２に内蔵されているインターフェースカード、ＬＡＮカード、又はＬＡＮボードに付与される識別子であるＭＡＣアドレスや、前記のように付与されているＩＤ、パスワードを使用する。【０１５９】
図５は情報提供者端末２からウェブサイトサーバ１に送信される情報をパケットとして分割したときの概略説明図である。インターネット上では送信データ６１は複数のパケット６２ａ〜６２ｎに分割して送信される。また携帯電話網７もデジタル方式ゆえ同じくパケットにして送信されている。【０１６０】
パケット６２ａは、データを記録したデータ部と、ヘッダと呼ばれる送信先、送信元等の情報を記録した部分と、パケットの後部に位置するトレーラと呼ばれる部分からなっている。【０１６１】
ヘッダにあるＩＰアドレスはインターネット上で使用される送信先、送信元を表すものであるが、個人利用者等はインターネット接続毎にＩＳＰより付与されるものであることから固定的でなく、ウェブサイトの更新等を行う開設者である情報提供者の端末装置の識別情報とすることができない。【０１６２】
そこで、情報提供者端末２に内蔵されるインターフェースカード等に付与されるＭＡＣアドレスを情報提供者の使用する情報提供者端末の識別情報として用いることとしたものである。ＭＡＣアドレスはＬＡＮを構成する各端末の識別に用いるアドレス情報であるが、これを上記識別情報として使用するものである。【０１６３】
したがって、ＭＡＣアドレスが前記のような識別情報として使用される場合、情報提供者端末２はＭＡＣアドレスを所有する装置が内蔵されていてこれを使用できる状態になっている必要がある。【０１６４】
識別情報を伴うログインがあったときは、ウェブサイトサーバ１は、情報提供者記録手段１２に記録されている情報を参照して識別情報に係る情報提供者端末２が登録されているウェブサイトの開設者であるか否かを判定する（Ｓ１２）。【０１６５】
判定は、情報提供者記録手段１２に記録されている情報を参照して、情報提供者認証手段１４が行う。【０１６６】
ログインで送信された識別情報が情報提供者記録手段１２に記録されているものであれば認証許可され、許可情報が情報提供者端末２に送信される（Ｓ１３）。【０１６７】
識別情報が不一致のときは、不許可情報が情報提供者端末２に送信され（Ｓ１４）、ウェブサイトの更新手続が拒絶される。【０１６８】
ウェブサイトの開設者である情報提供者は、許可情報を受信した後に、自己のウェブサイトの更新等を行うためのウェブサイト用情報を、ウェブサイトサーバ１に送信することができる（Ｓ１５）。【０１６９】
識別情報は、識別情報送信手段２７が行う処理動作により、このウェブサイト用情報のパケットにも付加されていて、これが更新対象のウェブサイトの確認にも利用される。【０１７０】
ウェブサイトの更新、変更、訂正、削除等の一連の手続きは、上記したように情報提供者端末２からの送信情報に基づいて、ファイル変換手段１５、ウェブサイト情報記録手段１６が行う（Ｓ１６）。【０１７１】
更新等されたウェブサイトの提供情報は、確認として情報提供者端末２に送信される（Ｓ１７）。【０１７２】
情報提供者は、ウェブサイトの再度の更新等を行う場合はさらにウェブサイト用情報を送信することができ、更新等の必要がないときは終了する（Ｓ１８）。【０１７３】
このようにウェブサイトの更新等において、パケットに情報提供者端末２の識別情報を含めて送信し、予め記録しておいた識別情報と照合することで、ウェブサイト更新を行うことが可能な開設者であることの認証ができるので、ＩＤやパスワードの入力要求、送信の手間を省略することができる。【０１７４】
なおウェブサイトの更新は、更新可能な者の端末装置のＭＡＣアドレスを予め記録しておけばウェブサイト開設者の他にも更新することができる。【０１７５】
そして情報提供者端末２のうち携帯電話２ｂを使用することで、例えば現地市場での入荷された生鮮物の画像情報等を、煩雑な手続きを要することなく迅速に送信でき、ウェブサイトからはリアルタイムな情報を提供することができる。【０１７６】
同じく、旅先や取材現場からの送信によっても、ウェブサイトからリアルタイムな情報を提供できる。【０１７７】
次に、上記リアルタイムに更新されたウェブサイトからの情報受信を容易かつ迅速に行うことができる、情報受信端末３の受信操作について説明する。【０１７８】
ウェブサイトからの情報を受信するには、通常ウェブサイトのＵＲＬを入力送信してログインする必要がある。予めＵＲＬ情報を記録しておく場合はともかく、比較的長いＵＲＬを正確に入力することは多少の困難を伴うものである。特に外出先等でコンパクトサイズの携帯電話にてＵＲＬを入力する場合はより困難を伴うものである。【０１７９】
図６（ａ）〜図６（ｅ）は、上記問題点を解消するために、ＵＲＬ情報を記録した２次元の情報コードであるカラーコード７１ａ〜７１ｅを付した各種商品を表した図である。【０１８０】
図６（ａ）は名刺７２の一隅にカラーコード７１ａが印刷されており、図６（ｂ）はＴシャツ７３にカラーコード７１ｂがプリントされており、図６（ｃ）は建物７４の壁面にカラーコード７１ｃが記載されており、図６（ｄ）は新聞７５の一隅にカラーコード７１ｄが印刷されており、そして図６（ｅ）は筒状の缶容器７６の周面にカラーコード７１ｅが記載されているものである。【０１８１】
カラーコードの色相は印刷出力装置等によって異なることから、同じ色相でも異なって認識される場合がある。本実施形態におけるカラーコードは、基準カラー情報を記録する参照領域とデータ領域との、固定的な色調差を利用することで、正確な色相を認識できるエンコーティング方法（例えば、特許第３３３６３１１号）を利用して、上記の問題点の解消を図るものである。【０１８２】
したがって、図６に表示されたカラーコードを情報受信者端末３の撮影手段５７により撮影し、撮影された画像を画像解析手段５８により画像解析してＵＲＬ情報を取得することができる。このＵＲＬ情報をＵＲＬ情報送信手段５３によりウェブサイトサーバ１に送信することで、所定のウェブサイトにログインでき、所望の情報を受信することができる。【０１８３】
このように、カラーコードを撮影してＵＲＬ情報を解析取得することで、煩雑なＵＲＬ情報の入力の手間が省略でき、リアルタイムに更新されたウェブサイトから必要な情報を迅速かつ容易い取得することができる。【０１８４】
また、上記したように、カラーコードにＵＲＬ情報を記録したので、情報受信者の視覚上の注意を引き易いだけでなく、デザイン上も商品との調和を取ることが可能となり、広い使用用途が考えられる。【０１８５】
即ち、図６（ｂ）のようにＴシャツ７３のワンポイントデザインとして、また図６（ｃ）のように建物７４のイラストとしても利用することができる。【０１８６】
以上説明した情報受信者が情報を取得する工程を図７を参照して説明する。【０１８７】
情報受信者は自らが使用している情報受信者端末３の撮影手段５７で、情報提供者端末２が画像情報取得手段２５で取得し、プリンター等の出力手段２４を介して印刷した図６（ａ）乃至図６（ｅ）図示の画像情報を撮像する（Ｓ５１）。【０１８８】
画像解析手段５８が、撮影手段５７により撮像した画像を解析して画像に記録されたＵＲＬ情報を取得する（Ｓ５２）。【０１８９】
ＵＲＬ情報送信手段５３を介して、前記ＵＲＬ情報で特定されるウェブサイトにログインするために前記ＵＲＬ情報を前記ＵＲＬ情報で特定されるウェブサイトに送信する（Ｓ５３）。【０１９０】
同時に、キャリア識別情報送信手段５４が、前記ウェブサイトにアクセスする際に、当該情報受信者端末３のキャリアを特定するキャリア識別情報を送信する（Ｓ５４）。【０１９１】
ログインを受け付けたウェブサイトサーバ１では、キャリア判定手段１７が、当該アクセス要求に付帯されているキャリア識別情報に基づいて、当該情報受信者端末３のキャリアを特定する（Ｓ５５）。【０１９２】
そして、ファイル情報出力手段１８が、前記アクセス要求で特定されているＵＲＬ情報に係るウェブサイトにより提供される情報についてのウェブサイト情報記録手段１６中の情報ファイルの中から、キャリア判定手段１７が判定した前記アクセス要求を送信してきた情報受信者端末３のキャリアに対応する情報ファイル抽出し、当該抽出した情報ファイルの情報を、情報受信者端末３に出力する（Ｓ５６）。【０１９３】
こうして情報受信者は自己が使用している情報受信者端末３のキャリアに対応している形式でウェブサイトを閲覧することができる。【０１９４】
なお、前記において、情報受信者端末３についても装置の識別情報を送信することで、ウェブサイトの利用課金に用いることができる。すなわち情報受信者端末のＭＡＣアドレスを予め登録しておくことで、情報受信者端末ごとの利用時間と利用料を算出することができ、有料の情報提供が可能となる。【０１９５】
以上、添付図面を参照して本発明の好ましい実施形態を説明したが、本発明はかかる実施形態に限定されるものではなく、特許請求の範囲の記載から把握される技術的範囲において種々の形態に変更可能である。
【図面の簡単な説明】
【０１９６】
【図１】本発明の情報提供システムの概略を説明する全体構成図。
【図２】本発明の情報提供システムの概略を説明する全体ブロック構成図。
【図３】（ａ）情報提供者が本発明の情報提供システムの利用を申し込む際の手順の一例を説明するフローチャート、（ｂ）情報提供者が本発明の情報提供システムの利用を申し込む際の手順の他の一例を説明するフローチャート。
【図４】情報提供者がウェブサイトの情報の更新などを行なう際の手順の一例を説明するフローチャート。
【図５】送信する識別情報の概略説明図。
【図６】（ａ）〜（ｅ）はウェブサイトのＵＲＬ情報を記したカラーコードによる情報コードを付した各種商品の一例を表した図。
【図７】情報受信者が情報を受信する際の手順の一例を説明するフローチャート。
【符号の説明】
【０１９７】
１  ウェブサイトサーバ
２（２ａ、２ｂ）  情報提供者端末
３（３ａ〜３ｎ）  情報受信者端末
１０    通信手段
１１    制御手段
１２    情報提供者記録手段
１３    情報提供者端末認証手段
１４    画像情報作成手段
１５    ファイル変換手段
１６    ウェブサイト情報記録手段
１７    キャリア判定手段
１８    ファイル情報出力手段
２１    通信手段
２２    制御手段
２３    入力手段
２４    出力手段
２５    画像情報取得手段
２６    情報記録手段
２７    識別情報送信手段
３１    通話送受信手段
３２    データ送受信手段
３３    制御手段
３５    識別情報送信手段
３６    入力手段
３７    出力手段
３８    情報記録手段
５０    通話送受信手段
５１    データ送受信手段
５２    制御手段
５３    ＵＲＬ情報送信手段
５４    キャリア識別情報送信手段
５５    入力手段
５６    出力手段
５７    撮影手段
５８    画像解析手段
５９    情報記録手段
【図１】
2008038399.tif 000003
【図２】
2008038399.tif 000004
【図３】
2008038399.tif 000005
【図４】
2008038399.tif 000006
【図５】
2008038399.tif 000007
【図６】
2008038399.tif 000008
【図７】
2008038399.tif 000009
【国際調査報告】
2008038399.tif 000010
2008038399.tif 000011